(57)【特許請求の範囲】
【請求項１】
両側面に透明部材を配置した本体部を有する長尺形状の操作ボタンを操作パネルに配置し、前記操作ボタンの側部に前記操作パネルに固定される長尺形状のバリアを配置し、前記操作ボタンの操作により前記透明部材の配置位置に対応する前記操作ボタンと前記バリアとのスリット（隙間）からの照光表示を行い、前記操作ボタンの操作者の正面からのみ視認を可能にし、第三者への照光表示を遮蔽することを特徴とする組み合わせ型スリット照光スイッチ。
【請求項２】
請求項１記載の組み合わせ型スリット照光スイッチにおいて、前記バリアと前記操作ボタンを交互に配置することを特徴とする組み合わせ型スリット照光スイッチ。
【請求項３】
請求項１記載の組み合わせ型スリット照光スイッチにおいて、前記バリア間に前記操作ボタンを複数個配置することを特徴とする組み合わせ型スリット照光スイッチ。
【請求項４】
請求項１から３のいずれか一項記載の組み合わせ型スリット照光スイッチにおいて、前記操作ボタンの配置方向の幅を操作者の指幅より狭くすることを特徴とする組み合わせ型スリット照光スイッチ。
【請求項５】
請求項１から３のいずれか一項記載の組み合わせ型スリット照光スイッチにおいて、前記操作ボタンの操作により動作するスイッチユニットをプリント基板上に実装するように配置することを特徴とする組み合わせ型スリット照光スイッチ。
【請求項６】
請求項１から３のいずれか一項記載の組み合わせ型スリット照光スイッチにおいて、前記バリアの少なくとも１個をロック機構内蔵バリアとし、それに対応する操作ボタンをロック可能にすることを特徴とする組み合わせ型スリット照光スイッチ。
【発明の詳細な説明】
【技術分野】
【０００１】
本発明は、組み合わせ型スリット照光スイッチに関するものである。
【背景技術】
【０００２】
従来、押しボタン型ディスプレイ用スイッチとしては、表示を電気的に変更可能とする表示装置の上面に枠体と、この枠体に支承したスイッチ素子と、透明部材で形成した、複数個のボタンを配設し、前記ボタンの少なくとも対向する２側面に凹所を設けるとともに、この凹所に係合する鍔部を前記枠体に設けて前記ボタンを上下動自在とし、しかも前記ボタンの下方に前記ボタンを復帰させるための弾性部材を配設するようにしたものがある（下記特許文献１参照）。
【特許文献１】特許第２９６８４６５号公報
【発明の開示】
【発明が解決しようとする課題】
【０００３】
しかしながら、従来の複数個の操作ボタンを配列したスイッチ装置では、操作者が多くの情報に惑わされやすくなり、その確実な操作およびスムーズな操作の妨げになることがある。また、１つの情報としての点灯が、他の情報に干渉して混乱を及ぼすといった問題があった。
また、操作スペースの狭い操作ボタンは、操作者の誤操作を招きやすく、さらに、狭さのため照光表示の解像度が低減するといった問題があった。
【０００４】
さらに、操作ボタンの照光表示は、操作者のみならずその付近にいる第三者の目にも入りやすく、目障りに感じられたり、あるいは操作者にとって望ましくない盗み見をされやすくなるといった問題があった。
本発明は、上記状況に鑑みて、操作者の正面からのみ照光表示を可能にし、第三者への照光表示を遮蔽するとともに、照光表示の解像度を向上させて、操作者が確実に照光表示を視認でき、かつ誤操作を防止することができる組み合わせ型スリット照光スイッチを提供することを目的とする。
【課題を解決するための手段】
【０００５】
〔１〕組み合わせ型スリット照光スイッチにおいて、両側面に透明部材を配置した本体部を有する長尺形状の操作ボタンを操作パネルに配置し、前記操作ボタンの側部に前記操作パネルに固定される長尺形状のバリアを配置し、前記操作ボタンの操作により前記透明部材の配置位置に対応する前記操作ボタンと前記バリアとのスリット（隙間）からの照光表示を行い、前記操作ボタンの操作者の正面からのみ視認を可能にし、第三者への照光表示を遮蔽することを特徴とする。
【０００６】
〔２〕上記〔１〕記載の組み合わせ型スリット照光スイッチにおいて、前記バリアと前記操作ボタンを交互に配置することを特徴とする。
〔３〕上記〔１〕記載の組み合わせ型スリット照光スイッチにおいて、前記バリア間に前記操作ボタンを複数個配置することを特徴とする。
〔４〕上記〔１〕から〔３〕のいずれか一項記載の組み合わせ型スリット照光スイッチにおいて、前記操作ボタンの配置方向の幅を操作者の指幅より狭くすることを特徴とする。
【０００７】
〔５〕上記〔１〕から〔３〕のいずれか一項記載の組み合わせ型スリット照光スイッチにおいて、前記操作ボタンの操作により動作するスイッチユニットをプリント基板上に実装するように配置することを特徴とする。
〔６〕上記〔１〕から〔３〕のいずれか一項記載の組み合わせ型スリット照光スイッチにおいて、前記バリアの少なくとも１個をロック機構内蔵バリアとし、それに対応する操作ボタンをロック可能にすることを特徴とする。
【発明の効果】
【０００８】
本発明によれば、以下のような効果を奏することができる。
（１）スリット照光表示
操作パネルの正面からだけ照光表示を視認できる。換言すれば、操作パネルの正面から外れるとその照光表示を視認できなくなるため、操作されたスイッチの照光表示が操作者の付近にいる第三者の目に入って障害となったり、第三者にスイッチの照光表示を視認されては困るような場合に、第三者に盗み見をされる（または盗影される）のを防止することができる。
【０００９】
また、複数の操作ボタンが狭い領域に配置される場合でも、多くの情報に惑わされることない操作環境を提供することができる。また、１つの情報としての点灯が、他の情報に干渉して混乱を及ぼすことを防止でき、さらに照光表示の解像度を高めることができる。
（２）操作部分とスイッチユニットの分離
長尺形状のバリアと長尺形状の操作ボタンからなる操作部分とスイッチユニットとを分離したことにより、ユーザーにおける組立性を向上させるとともに、操作部分とスイッチユニットのセンターズレによる動作の不具合や、スイッチ端子やプリント配線パターンといったスイッチユニットの取付部分（基板）への過負荷による不具合も回避できる。
【００１０】
（３）誤操作防止
長尺形状の操作ボタンを長尺形状のバリア間に配置することにより、誤操作防止構造を提供できる。操作ボタンの幅は指幅より狭めても、指の腹の撓みで操作部を操作することができ、意識的操作を行うことができる。換言すれば、不用意な無意識の操作を防止することができる。
【００１１】
（４）スイッチの美観・機能性の向上
長尺形状のバリアの頭部や長尺形状の操作ボタンの頭部の美観・機能性を高めることができる。バリアの頭部や操作ボタンの頭部はキャップ状になっており、色分けをしたり、キャップをクリアなものにしてその内部に文字フィルムを入れるなどして、美観・識別性を容易に向上させることができる。
【００１２】
また、キャップは簡単に着脱可能なため、パネルデザインを簡単に変化させることができる。
（５）長尺形状のバリア本体の多機能化
長尺形状のバリアは、不透明材料で黒を始め各色を施すことができる。
また、長尺形状のバリア本体の内部にハートカム等のロック機構を組み込んだロック機構内蔵バリアを提供して、そのバリアを操作ボタンと組み合わせれば、簡単にロックタイプのスイッチを構成することができる。
【００１３】
操作ボタンを復帰させる力を有しない、または操作ボタンを復帰させる力が不足しているスイッチ（素子）と組み合わせる場合は、バリア内に復帰力を発生させるバネを内蔵させることにより、操作ボタンの復帰を確実にするようにアシストすることができる。
（６）操作ボタン本体の多機能化
長尺形状の操作ボタンの本体部を不透明部材とし、両側に透明部材を配置することにより、左右別々の発光色のスリット照光を構成することができる。
【００１４】
例えば、一方は、そのスイッチを操作すべき指令に対応するスリット照光表示を行い、もう一方は、そのスイッチを操作した場合に、その操作を確認するスリット照光表示を行うようにすることができる。
また、操作ボタン全体を透明部材とした全面照光表示とすることもできる。
（７）スイッチユニットの構築
少なくとも１つのＬＥＤなどの照光光源とスイッチ（素子）とを１つのハウジング（筐体）に納め、ユーザー作業において位置出し等の労力を低減させることができる。例えば、ハウジング（筐体）側面に凹凸を設け、等ピッチでハウジング（筐体）を連続的に配置することができる。
【００１５】
また、ＬＥＤ部分は抜き差し可能とし、任意の組み合わせを構築するための交換を可能とすることができる。
ハウジング（筐体）に隔壁を設けてＬＥＤを個別に収納することにより、それぞれのＬＥＤの照光干渉を防止する構造にすることができる。
【発明を実施するための最良の形態】
【００１６】
本発明の組み合わせ型スリット照光スイッチは、両側面に透明部材を配置した本体部を有する長尺形状の操作ボタンを操作パネルに配置し、前記操作ボタンの側部に前記操作パネルに固定される長尺形状のバリアを配置し、前記操作ボタンの操作により前記透明部材の配置位置に対応する前記操作ボタンと前記バリアとのスリット（隙間）からの照光表示を行い、前記操作ボタンの操作者の正面からのみ視認を可能にし、第三者への照光表示を遮蔽する。
【実施例】
【００１７】
以下、本発明の実施の形態を図面を参照しながら詳細に説明する。
図１は本発明の第１実施例を示す組み合わせ型スリット照光スイッチの正面図、図２はその組み合わせ型スリット照光スイッチの分解斜視図、図３はスイッチユニットの構築状態を示す図である。
これらの図において、１は操作パネル、２は組み合わせ型スリット照光スイッチを装着するために形成された取り付け穴、３は取り付け穴２に設けられるハウジング、４は操作パネル１に固定される長尺（縦長）形状のバリア（以下、差し支えない場合は単にバリアという）、５は短辺が指幅より狭い長尺形状の操作ボタン（以下、差し支えない場合は単に操作ボタンという）、６は操作ボタン５の本体５Ａ（図５参照）の両側に取り付けられる透明部材、７はその透明部材６が対応するスリットである。
【００１８】
そのハウジング３の下方には、プリント配線板１８に固定されるスイッチユニット１０が所定間隔をおいて配置される。このスイッチユニット１０は、ハウジング１１と、このハウジング１１の側面に形成される連結突起１２Ａ、連結凹部１２Ｂと、ハウジング１１に形成されるマイクロスイッチ１４を収納する凹部１３と、ＬＥＤ１６を収納するための隔壁１５Ａ付きの凹部１５とを有しており、マイクロスイッチ１４及びＬＥＤ１６を有する各スイッチ要素は、その連結突起１２Ａと隣接するスイッチ要素の連結凹部１２Ｂとを連結することにより、ユーザーの使用目的に応じたスイッチ装置を容易に構築することができる。そして、そのスイッチユニット１０に対応したバリア４と操作ボタン５との組み立て体を構築することができる。
【００１９】
なお、スイッチユニット１０のハウジング１１相互の連結は、上記した連結突起１２Ａと連結凹部１２Ｂによる連結に代えて、図４に示すように、ハウジング２１に画一的に連結凹部２２を形成し、その連結凹部２２に連結子２３を装着するようにしてもよい。・                                                    そこで、長尺形状のバリア４の間に配置された、短辺が指幅より狭い長尺形状の操作ボタン５を操作者が意識的に操作すると、マイクロスイッチ１４が作動して、ＬＥＤ１６が点灯し、その点灯光は、操作ボタン５本体５Ａの両側に取り付けられる透明部材６を介してスリット（隙間）７から照光表示される。
【００２０】
このように、長尺形状のバリア４と長尺形状の操作ボタン５との間のスリット（隙間）７から照光表示させることにより、操作パネル１の正面からだけ照光表示を視認できるようになる。換言すれば、操作パネル１の正面から外れるとその照光表示を視認できなくなる。このことは、操作されたスイッチの照光表示が操作者の付近にいる第三者の目に入って障害となったり、第三者にスイッチの照光表示を視認されては困るような場合に、第三者に盗み見をされる（または盗影される）のを防止することができる。
【００２１】
また、複数の操作ボタンを狭い領域に配置したい場合でも、操作ボタンが指幅より狭い長尺形状であるため狭いスペースに複数個設けることができ、さらにバリアが設けられていることにより誤操作を防ぐことができる。また、このバリアによって、多くの情報に惑わされることなく確実な操作環境を提供することができるようになる。また、１つの情報としての点灯が、他の情報に干渉して混乱を及ぼすことも防止できる。
【００２２】
そして、スリット照光表示は、人間が目を凝らす際に目を細めて見るのと同様に、表示認識を高めることもできる。換言すれば、照光表示の解像度を高めることができる。
また、図５に示すように、操作ボタン５は、本体５Ａとその両側に配置される透明部材６の頭部に形成されている。そこで、ボタンの機能を示す文字や図示などが付された（ボタンの機能を示す文字や図示などが付されないものも含む）、金属や樹脂などからなるキャップ５Ｃを操作ボタン５に嵌着してもよい。このとき、透明部材６の頭部が一部露出するように操作ボタン５及びキャップ５Ｃのサイズを調整する。すなわち、透明部材６を介した照光表示をキャップ５Ｃの下縁部５Ｂで塞ぐことのないように、透明部材６の露出上面部６Ａを残すように形成する。なお、操作ボタン５はキャップ５Ｃよりは一回り小さくなるように形成されている。
【００２３】
さらに、図６に示すように、操作ボタン５の上方にボタンの機能を示す文字や図示などが付されたフィルム５Ｄを被せ、透明部材よりなるキャップ５Ｅをこのキャップ５Ｅより一回り小さい操作部５に被着するようにしてもよい。
また、図７に示すように、操作ボタン５の上部の両端に操作ボタン５の突出部により形成される係合部５Ｆを設け、操作ボタン５上方から、両端に係合部５Ｆと嵌合する係り部５Ｇを有する金属や樹脂などからなるハーフキャップ５Ｈを嵌着するように構成することができる。
【００２４】
なお、上記したキャップは操作ボタンへの装着のみならず、バリアへの装着も可能であることは言うまでもない。
図８は本発明の第２実施例を示す組み合わせ型スリット照光スイッチの正面図、図９はその組み合わせ型スリット照光スイッチの分解斜視図、図１０はその組み合わせ型スリット照光スイッチへのバリアの取り付けの説明図である。
【００２５】
これらの図において、３１は操作パネル、３２は組み合わせ型スリット照光スイッチを装着するために形成された取り付け穴、３３は取り付け穴３２に設けられるハウジング、３３Ａは後述するバリアを固定する鉤部、３３Ｂは係合凹部、３４は操作パネル３１に固定される長尺形状のバリア、３４Ａは長尺形状のバリアの本体、３４Ｂは長尺形状のバリア３４を取り付け穴３２に係合させるバネ板片、３４Ｃはバリアの本体３４Ａに形成される、ハウジングの鉤部３３Ａが嵌合する係合部、３４Ｄはバリア３４の本体３４Ａの下部に形成され、ハウジングの係合凹部３３Ｂと係合する係合突起、３５は２個並んだ長尺形状の操作ボタン、３５Ａは操作ボタンの本体、３６は透明部材である。
【００２６】
この実施例では、バリア３４の間に２個並んで操作ボタン３５が配置される。それらの操作ボタン３５各々の両側には透明部材３６が対応するスリット３７が設けられる。
また、ハウジング３３の下方には所定間隔をおいて、プリント配線板３８に固定されるスイッチユニット４０が配置される。このスイッチユニット４０は、ハウジング４１と、このハウジング４１の側面に形成される連結突起４２、連結凹部（図示なし）と、ハウジング４１に形成されるマイクロスイッチ４４を収納する凹部４３と、ＬＥＤ４６を収納する隔壁４５Ａ付き凹部４５とを有しており、マイクロスイッチ４４及びＬＥＤ４６を有する各スイッチ要素は、その連結突起４２と隣接するスイッチ要素の連結凹部（図示なし）とを連結することにより、ユーザーの使用目的に応じたスイッチユニットを容易に構築することができる。そして、そのスイッチユニット４０に対応したバリア３４と操作ボタン３５との組み立て体を構築することができる。
【００２７】
図１１は本発明の第３実施例を示す組み合わせ型スリット照光スイッチの正面図、図１２はその組み合わせ型スリット照光スイッチの操作ボタンとバリアとの関係を示す図である。
これらの図において、５１は操作パネル、５２は組み合わせ型スリット照光スイッチを装着するために形成された取り付け穴、５３は取り付け穴５２に設けられるハウジング、５３Ａは後述するバリアの連結ピンが係合する係合孔、５４は操作パネル５１に固定される第１の長尺形状のバリア、５５は第１の長尺形状の操作ボタン、５６は操作ボタン５５の両側に取り付けられる透明部材、５７はその透明部材５６に対応して形成されるスリット、５８はロック型の第２の長尺形状の操作ボタン、５８Ａは後述する連結ピンが係合する係合孔、５９はロック機構（ハートカム型）内蔵の第２の長尺形状のバリア、５９Ａは長尺形状のバリア本体、５９Ｂは長尺形状のバリア５９を操作パネル５１の取り付け穴５２に係合させるバネ板片、５９Ｃはロック機構（ハートカム型）、５９Ｄは連結ピンである。
【００２８】
この実施例では、まず、連結ピン５９Ｄが係合孔５８Ａに係合すると共にバリア５９とハウジング５３を嵌合させているので、ロック型の第２の操作ボタン５８を押圧操作すると、ロック機構（ハートカム型）内蔵の第２のバリア５９も連動して操作されるので、ロック型の第２の操作ボタン５８は瞬時に復帰することなく、ロック機構でロックされることになる。
【００２９】
このように、バリアをロック機構（ハートカム型）内蔵のバリア５９とすることにより、瞬時復帰型であったものを、容易にロック型のスイッチング機構に変更することができる。
上記のように構成したので、本発明によれば、
（１）バリアと操作ボタンとの間の隙間からスリット照光表示させることにより、操作パネル正面からしか照光を認識できなくなる。これにより、多くの情報に惑わされることのない操作環境を提供することができるようになる。また、１つの情報としての点灯が、他の情報に干渉して混乱を及ぼすことも防止できる。また、照光表示の解像度を高めることができる。
【００３０】
（２）バリアと操作ボタンからなる操作部分とスイッチユニットとを分離したことにより、ユーザーにおける組立性を向上させるとともに、操作部分とユニットのセンターズレによる動作の不具合や、スイッチ端子やプリント配線パターンといった基板取付部分への過負荷による不具合も回避できる。
例えば、マウンタを介してトップパネルに遊び無くスイッチを固定することができる。
【００３１】
因みに、従来、スイッチはプリント配線基板にハンダ付けされ完全に固定される。よって、トップパネルとプリント配線基板との偏芯を緩衝する部分が無くなるため、ボタン摺動部あるいはスイッチ固定部である端子またはその周囲のプリント配線基板パターン部に歪が生じることになる。このため、ユーザーは、従来センター出しに多大な労力を強いられていた。
【００３２】
（３）誤操作を防止することができる。つまり、指幅より適度に狭めた操作ボタンをバリア間に配置することにより、誤操作防止構造を提供できる。指幅より狭めたとは言え、指の腹の撓みで操作部を操作することができ、意識的に操作を行うことができる。換言すれば、不用意な無意識の操作を防止することができる。
（４）バリアの頭部や操作ボタンの頭部の美観・機能性を高めることができる。バリアの頭部や操作ボタンの頭部はキャップ状になっており、色分けをしたり、キャップをクリアなものにして内部に文字フィルムを入れるなどして、美観・識別性を容易に向上させることができる。
【００３３】
キャップは、成形品だけでなく金属プレス加工品であってもよい。
また、キャップは、簡単に着脱可能なため、パネルデザインを簡単に変化させることができる。
（５）バリア本体の多機能化を図ることができる。
バリアは不透明材料で黒を始め各色を施すことができる。
【００３４】
また、バリア本体の内部にハートカム等のロック機構を組み込んだロック機構内蔵バリアを提供して、そのバリアを操作ボタンと組み合わせれば、ロックタイプのスイッチを簡単に構成することができる。
操作ボタンを押し戻す力を有しない、または押し戻す力が不足しているスイッチ（素子）と組み合わせる場合は、バリア内に復帰力を発生させるバネを内蔵させることにより、操作ボタンの復帰をアシストすることができる。
【００３５】
（６）操作ボタン本体の多機能化を図ることができる。
中央部に不透明部材、両側に透明部材を配置した操作ボタンとすることにより、左右別々の発光色のスリット照光を構成することができる。
例えば、一方は、そのスイッチを操作すべき指令に対応するスリット照光表示を行い、もう一方は、そのスイッチを操作した場合に、その操作を確認するスリット照光表示を行うようにすることができる。
【００３６】
また、操作ボタン全体を透明部材とした全面照光表示とすることもできる。
（７）スイッチユニットの構築
少なくとも１つのＬＥＤなどの照光光源とスイッチ（素子）とを１つのハウジング（筐体）に収納し、ユーザー作業において位置出し等の労力を低減させることができる。例えば、ハウジング（筐体）側面に凹凸を設け、等ピッチでハウジング（筐体）を連続的に配置することができる。
【００３７】
また、ＬＥＤ部分は抜き差し可能とし、任意の組み合わせを構築するための交換を可能とすることができる。
ＬＥＤをハウジング（筐体）に収納することにより、それぞれのＬＥＤの照光干渉を防止する構造となっている。
なお、本発明は上記実施例に限定されるものではなく、本発明の趣旨に基づき種々の変形が可能であり、これらを本発明の範囲から排除するものではない。
【産業上の利用可能性】
【００３８】
本発明の組み合わせ型スリット照光スイッチは、周囲への照光表示を遮蔽し、しかも照光表示の解像度の高いスイッチとして利用可能である。
【図面の簡単な説明】
【００３９】
【図１】本発明の第１実施例を示す組み合わせ型スリット照光スイッチの正面図である。
【図２】本発明の第１実施例を示す組み合わせ型スリット照光スイッチの分解斜視図である。
【図３】本発明の第１実施例を示すスイッチユニットの構築状態を示す図である。
【図４】本発明の第１実施例を示す組み合わせ型スリット照光スイッチの要素同士の連結手段を示す図である。
【図５】本発明の操作ボタンへのキャップの装着の説明図（その１）である。
【図６】本発明の操作ボタンへのキャップの装着の説明図（その２）である。
【図７】本発明の操作ボタンへのキャップの装着の説明図（その３）である。
【図８】本発明の第２実施例を示す組み合わせ型スリット照光スイッチの正面図である。
【図９】本発明の第２実施例を示す組み合わせ型スリット照光スイッチの分解斜視図である。
【図１０】本発明の第２実施例を示す組み合わせ型スリット照光スイッチへのバリアの取り付けの説明図である。
【図１１】本発明の第３実施例を示す組み合わせ型スリット照光スイッチの正面図である。
【図１２】本発明の第３実施例を示す組み合わせ型スリット照光スイッチの操作ボタンとバリアとの関係を示す図である。
【符号の説明】
【００４０】
１，３１，５１    操作パネル
２，３２，５２    取り付け穴
３，１１，２１，３３，４１，５３    ハウジング
４，３４    長尺形状のバリア
５    短辺が指幅より狭い長尺形状の操作ボタン
５Ａ，３５Ａ    操作ボタンの本体
５Ｂ    キャップの下縁部
５Ｃ，５Ｅ    キャップ
５Ｄ    フィルム
５Ｆ，３４Ｃ    係合部
５Ｇ    係り部
５Ｈ    ハーフキャップ
６，３６，５６    透明部材
６Ａ    露出上面部（透明部材）
７，３７，５７    スリット
１０，４０    スイッチユニット
１２Ａ，４２    連結突起
１２Ｂ，２２    連結凹部
１３，１５，４３，４５    凹部
１４，４４    マイクロスイッチ
１５Ａ，４５Ａ    隔壁
１６，４６    ＬＥＤ
１８，３８    プリント配線板
２３    連結子
３３Ａ    長尺形状のバリアを固定する鉤部
３３Ｂ    係合凹部
３４Ａ，５９Ａ    長尺形状のバリアの本体
３４Ｂ，５９Ｂ    バネ板片
３４Ｄ    係合突起
３５    ２個並んだ操作ボタン
５３Ａ，５８Ａ    係合孔
５４    第１の長尺形状のバリア
５５    第１の長尺形状の操作ボタン
５８    ロック型の第２の長尺形状の操作ボタン
５９    ロック機構（ハートカム型）内蔵の第２の長尺形状のバリア
５９Ｃ    ロック機構（ハートカム型）
５９Ｄ    連結ピン
【図１】
0004619939.tif 000002
【図２】
0004619939.tif 000003
【図３】
0004619939.tif 000004
【図４】
0004619939.tif 000005
【図５】
0004619939.tif 000006
【図６】
0004619939.tif 000007
【図７】
0004619939.tif 000008
【図８】
0004619939.tif 000009
【図９】
0004619939.tif 000010
【図１０】
0004619939.tif 000011
【図１１】
0004619939.tif 000012
【図１２】
0004619939.tif 000013